(57)【要約】【課題】床面強度の向上と、生産性及びメンテナンス性の向上を実現するパレット段積み用治具を提供する。【解決手段】 パレット段積み用治具１は、平面視四角形状のフレームで形成されるかご部２と、かご部２の４隅で上方へ向けて起立する４本の支柱３，３，４，４からなり、かご部２は、上方から運搬用パレットＰを収容する収容部５と、かご部２各側面に、搬送機械のフォークの差し込みを許容する差込部６とを備え、かご部２の４隅の上部それぞれに、着脱自在な板状のブラケット７を備えている。【選択図】図１
2020125129.tif 000002
【特許請求の範囲】
【請求項１】
平面視四角形状のフレームで形成されるかご部と、前記かご部の４隅で上方へ向けて起立する４本の支柱からなるパレット段積み用治具であって、
前記かご部は、上方から運搬用パレットを収容する収容部と、前記かご部各側面に、搬送機械のフォークの差し込みを許容する差込部とを備え、
前記かご部の４隅の上部それぞれに、着脱自在な板状のブラケットを備えたことを特徴とするパレット段積み用治具。
【請求項２】
前記かご部の４隅下部に、前記支柱の上方先端が嵌合可能に下方へ向けて開口した脚部を備えたことを特徴とする請求項１に記載のパレット段積み用治具。
【発明の詳細な説明】
【技術分野】
【０００１】
本発明は、運搬用パレットに取り付けて使用するパレット段積み用治具に関する。
【背景技術】
【０００２】
パレットの段積みを可能とすることで、上部空間利用による保管床面積の削減が可能なことから、運搬用パレットに取り付けることで、運搬用パレットの段積みを可能とするパレット段積み用治具が知られている。例えば、特許文献１には、合成樹脂製のパレット本体の上方から取り付けられる基部及び支柱を有する枠体が開示されている。
【先行技術文献】
【特許文献】
【０００３】
【特許文献１】特許第５４９２０１４号公報
【発明の概要】
【発明が解決しようとする課題】
【０００４】
しかし、上述したような従来のパレット段積み用治具は、パレットの上方からパレット段積み用治具を取り付けるため、パレット本体が積載する荷物の重量に加え、パレット段積み用治具の重量をも受けることから、床面強度がパレット本体自体の強度に大きく左右される。また、パレット段積み用治具とパレット本体との固定のために複雑な構造を要する等の理由から、生産性及びメンテナンス性が悪いという課題が挙げられ、段積み用治具の構造に見直しが求められていた。
【０００５】
そこで、本発明の目的は、床面強度の向上と、生産性及びメンテナンス性の向上を実現するパレット段積み用治具を提供することにある。
【課題を解決するための手段】
【０００６】
上記目的を達成するために、請求項１に記載の発明は、平面視四角形状のフレームで形成されるかご部と、かご部の４隅で上方へ向けて起立する４本の支柱からなるパレット段積み用治具であって、かご部は、上方から運搬用パレットを収容する収容部と、かご部各側面に、搬送機械のフォークの差し込みを許容する差込部とを備え、かご部の４隅の上部それぞれに、着脱自在な板状のブラケットを備えたことを特徴とする。
請求項２に記載の発明は、請求項１の構成において、かご部の４隅下部に、支柱の上方先端が嵌合可能に下方へ向けて開口した脚部を備えたことを特徴とする。
【発明の効果】
【０００７】
請求項１に記載の発明によれば、運搬用パレットは、パレット段積み用治具の重量を受けることがないため、床面強度を向上させることができる。また、パレット段積み用治具自体が、かご部と支柱とブラケットとからなる単純な構造であるため、生産性の向上を図ることができる。さらに、パレット段積み用治具への運搬用パレットの固定が、パレット本体を収納部へ収納した後、ブラケットを取り付けるだけで容易に行えるため、メンテナンス性を向上させることができる。
請求項２に記載の発明によれば、請求項１に記載の効果に加え、段積みした際、下方のパレット段積み用治具の支柱の先端に、上方のパレット段積み用治具の脚部が嵌合するため、段積みしたパレット同士を前後左右方向にずれることなく積み重ねることが可能になり、整然とした整理整頓が可能となる。
【図面の簡単な説明】
【０００８】
【図１】（ａ）はパレット段積み用治具を示す斜視図、（ｂ）は平面図である。
【図２】（ａ）は運搬用パレットを収容した状態を示す斜視図、（ｂ）は丸枠Ａの部分の拡大分解斜視図である。
【図３】段積み状態を示す正面図である。
【図４】（ａ）は支柱を最大長とした状態を示す斜視図、（ｂ）は支柱を完全に畳んだ状態を示す斜視図である。
【発明を実施するための形態】
【０００９】
以下、本発明の実施の形態を図面に基づいて説明する。
図１（ａ）に示すように、パレット段積み用治具１は、フレームで形成されたかご部２と、かご部２の４隅で上方へ向けて起立する４本の支柱３，３，４，４とを備えている。かご部２には、上方から樹脂製の運搬用パレットＰを収容する収容部５と、かご部２各側面に、搬送機械のフォークの差し込みを許容する差込部６とが備えられ、かご部２の４隅の上部それぞれには、着脱自在な板状のブラケット７が備えられている。さらに、かご部２の４隅で各支柱３，３，４，４の直下には、下方へ向けて開口する脚部８が設けられている。
各支柱３、３，４，４はそれぞれ、基端部３ａ，３ａ，４ａ，４ａと、主支柱３ｂ，３ｂ，４ｂ，４ｂと、副支柱３ｃ、３ｃ、４ｃ、４ｃとからなり、基端部３ａ，３ａ，４ａ，４ａは、かご部２を構成するフレームの一部となっている。また、基端部３ａ，３ａ，４ａ，４ａと主支柱３ｂ，３ｂ，４ｂ，４ｂとの連結部として第１のヒンジ部３ｄ，３ｄ，４ｄ，４ｄが、主支柱３ｂ，３ｂ，４ｂ，４ｂと副支柱３ｃ，３ｃ，４ｃ，４ｃとの連結部として第２のヒンジ部３ｅ，３ｅ，４ｅ，４ｅが設けられている。加えて、主支柱４ｂ，４ｂと副支柱４ｃ，４ｃとは、主支柱４ｂ，４ｂには２本の、副支柱４ｃ，４ｃには１本の、地面と平行して延びる連結棒９により連結されている。なお、図１（ａ）は、副支柱３ｃ、３ｃ、４ｃ、４ｃを折り畳んだ状態を示している。
【００１０】
図１（ｂ）に示すように、パレット段積み用治具１は、平面視四角形状であって、かご部２の底辺２ｂを、かご部２の上辺２ａよりも内側へ向けて幅広とすることで、上方から運搬用パレットＰを収容した際、運搬用パレットＰが下方へ抜け落ちることを防止している。  
【００１１】
図２（ａ）に示すように、運搬用パレットＰは、かご部２の収容部５に収容される。
運搬用パレットＰの収容は、以下のようにして行う。
４つのブラケット７をパレット段積み用治具１から取り外した後、図２（ｂ）に示すように、運搬用パレットＰを上方から収容部５へ収容し、続いて、取り外したブラケット７を収容した運搬用パレットＰの上方からかご部２へ取り付けることで、運搬用パレットＰはパレット段積み用治具１に固定される。なお、かご部２とブラケット７との固定は、かご部２に設けられた固定孔１０ａ，１０ａとブラケット７に設けられた固定孔１０ｂ，１０ｂとを介して、ボルト等の固定手段（図示せず）を用いて行う。従って、簡単なブラケット７の脱着作業のみで、運搬用パレットＰの収容及び固定が可能であるため、パレット段積み用治具１のメンテナンスや段積み可能なパレットの製作を容易に行うことができる。
【００１２】
図３に示すように、パレット段積み用治具１と他のパレット段積み用治具１’は、上下に段積みすることができる。この時、下方のパレット段積み用治具１の各支柱３，３，４，４の先端部１１が、他のパレット段積み用治具１’の脚部８に設けられた開口部８ａへ嵌合するため、安定して段積みすることができる。また、脚部８を四角錐状としたことで、段積みの際、左右前後に多少のずれがあったとしても、下方のパレット段積み用治具１の各支柱３，３，４，４の先端を他のパレット段積み用治具１’の脚部８に確実に嵌合させることができる。従って、段積みの際の位置合わせが容易になると共に、整然とした整理整頓が可能となる。
【００１３】
図４（ａ）は、支柱３，３，４，４を最大長とした状態を示している。副支柱３ｃ，３ｃは、矢印で示すように、第２のヒンジ部３ｅ，３ｅを中心とする前方へ向けて描かれる半円軌道で回動する。一方、副支柱４ｃ、４ｃは、第２のヒンジ部４ｅ，４ｅを中心とする後方へ向けて描かれる半円軌道で回動する。
図４（ｂ）は、支柱３，３，４，４を完全に畳んだ状態を示している。主支柱３ｂ，３ｂは、図４（ａ）において矢印で示すように、第１のヒンジ部３ｄ、３ｄを中心にそれぞれ他方の主支柱３ｂへ向けて折り畳まれる。一方、主支柱４ｂ，４ｂは、第１のヒンジ部４ｄ、４ｄを中心に前方へ向けて折り畳まれる。
このように、パレット段積み用治具１の支柱３，３，４，４が、第２のヒンジ部３ｅ，３ｅ，４ｅ，４ｅで折り畳み可能な構造を備えることで、載置する物量に合わせて支柱３，３，４，４の高さを２段階で変更可能となり、パレットの段積みに際し、上部空間の有効利用が可能となる。また、段積みの必要がない場合は、支柱３，３，４，４を第１のヒンジ部３ｄ，３ｄ，４ｄ，４ｄ及び第２のヒンジ部３ｅ，３ｅ，４ｅ，４ｅで折り畳むことで、最小スペースでの保管が可能となる。
【００１４】
上記形態のパレット段積み用治具１は、平面視四角形状のフレームで形成されるかご部２と、かご部２の４隅で上方へ向けて起立する４本の支柱３，３，４，４からなり、かご部２は、上方から運搬用パレットＰを収容する収容部５と、かご部２各側面に、搬送機械のフォークの差し込みを許容する差込部６とを備え、かご部２の４隅の上部それぞれに、着脱自在な板状のブラケット７を備えている。
このような構成のパレット段積み用治具１によれば、運搬用パレットＰは、パレット段積み用治具１の重量を受けることがないため、床面強度を向上させることができる。また、パレット段積み用治具１自体が、かご部２と支柱３，３，４，４とブラケット７とからなる単純な構造であるため、生産性の向上を図ることができる。さらに、パレット段積み用治具１への運搬用パレットＰの固定が、運搬用パレットＰを収容部５へ収納した後、ブラケット７を取り付けるだけで容易に行えるため、メンテナンス性を向上させることができる。
【００１５】
また、かご部２の４隅下部に、支柱３，３，４，４の上方先端が嵌合可能に下方へ向けて開口した脚部８を備えている。
よって、段積みした際、下方のパレット段積み用治具１の支柱３，３，４，４の先端部１１に、上方のパレット段積み用治具１’の脚部８が嵌合するため、段積みしたパレット同士を前後左右方向にずれることなく積み重ねることが可能になり、整然とした整理整頓が可能となる。
【００１６】
以上は、本発明を図示例に基づいて説明したものであり、その技術範囲はこれに限定されるものではない。例えば、ブラケットの形状は、運搬用パレットの固定が可能であれば、他の形状であっても良い。また、かご部とブラケットの固定手段は、ピンやフック等を用いても良い。さらに、脚部の形状は、円錐状でも良い。
【符号の説明】
【００１７】
１・・パレット段積み用治具、２・・かご部、３，４・・支柱、５・・収容部、７・・ブラケット、８・・脚部、１１・・先端部、Ｐ・・運搬用パレット。
【図１】
2020125129.tif 000003
【図２】
2020125129.tif 000004
【図３】
2020125129.tif 000005
【図４】
2020125129.tif 000006